(57)【要約】【課題】地図上の特定の位置についての情報を、ユーザに理解しやすい形態で提示する。【解決手段】本地図データ処理方法は、地図の表示範囲を特定するステップと、コンテンツ毎に位置データを格納するコンテンツデータ格納部及び地図要素毎に位置データと属性データとを格納する地図要素データ格納部を用いて、地図の表示範囲内の位置に関連付けられ且つ位置が同一であるとみなされるコンテンツ及び地図要素を特定する特定ステップと、特定ステップにおいて特定された上記コンテンツの属性データと、地図要素データ格納部に格納されており且つ特定ステップにおいて特定された上記地図要素の属性データとを比較する比較ステップと、比較ステップの比較結果に基づきコンテンツについての表示態様を決定し、当該表示態様に従った表示データを含む表示範囲内の地図を出力するステップとを含む。【選択図】図３
2008176160.tif 000002
【特許請求の範囲】
【請求項１】
地図の表示範囲を特定するステップと、
コンテンツ毎に位置データを格納するコンテンツデータ格納部及び地図要素毎に位置データと属性データとを格納する地図要素データ格納部を用いて、前記地図の表示範囲内の位置に関連付けられ且つ位置が同一であるとみなされるコンテンツ及び地図要素を特定する特定ステップと、
前記特定ステップにおいて特定された前記コンテンツの属性データと、前記地図要素データ格納部に格納されており且つ前記特定ステップにおいて特定された前記地図要素の属性データとを比較する比較ステップと、
前記比較ステップの比較結果に基づき前記コンテンツについての表示態様を決定し、当該表示態様に従った表示データを含む前記表示範囲内の地図を出力するステップと、
を含み、コンピュータにより実行される地図データ処理方法。
【請求項２】
前記特定ステップが、
前記コンテンツデータ格納部において、特定された前記地図の表示範囲内の位置に関連付けられたコンテンツを特定するステップと、
前記地図要素データ格納部から、特定された前記コンテンツの位置と同一とみなされる位置の地図要素を抽出するステップと、
を含む請求項１記載の地図データ処理方法。
【請求項３】
前記比較結果が不一致である場合、前記コンテンツの前記表示態様が、当該不一致を強調するものである
請求項１記載の地図データ処理方法。
【請求項４】
カーナビゲーション・システムにおける目的地設定モードにおいて、
前記比較結果が不一致である場合、前記コンテンツの前記表示態様が、当該コンテンツの非表示であり、
前記比較結果が一致である場合、前記コンテンツの前記表示態様が、当該コンテンツ又は当該コンテンツに対応する表示データの表示である、
請求項１記載の地図データ処理方法。
【請求項５】
カーナビゲーション・システムにおける走行モードにおいて、
前記比較結果が不一致である場合、前記コンテンツの前記表示態様が、当該コンテンツ又は当該コンテンツに対応する表示データの表示であり、
前記比較結果が一致である場合、前記コンテンツの表示態様が、当該コンテンツの非表示である
請求項１記載の地図データ処理方法。
【請求項６】
地図の表示範囲を特定するステップと、
コンテンツ毎に位置データを格納するコンテンツデータ格納部及び地図要素毎に位置データと属性データとを格納する地図要素データ格納部を用いて、前記地図の表示範囲内の位置に関連付けられ且つ位置が同一であるとみなされるコンテンツ及び地図要素を特定する特定ステップと、
前記特定ステップにおいて特定された前記コンテンツの属性データと、前記地図要素データ格納部に格納されており且つ前記特定ステップにおいて特定された前記地図要素の属性データとを比較する比較ステップと、
前記比較ステップの比較結果に基づき前記コンテンツについての表示態様を決定し、当該表示態様に従った表示データを含む前記表示範囲内の地図を出力するステップと、
を、コンピュータに実行させるための地図データ処理プログラム。
【請求項７】
地図の表示範囲を特定する手段と、
コンテンツ毎に位置データを格納するコンテンツデータ格納部及び地図要素毎に位置データと属性データとを格納する地図要素データ格納部を用いて、前記地図の表示範囲内の位置に関連付けられ且つ位置が同一であるとみなされるコンテンツ及び地図要素を特定する特定手段と、
前記特定手段により特定された前記コンテンツの属性データと、前記地図要素データ格納部に格納されており且つ前記特定手段において特定された前記地図要素の属性データとを比較する比較手段と、
前記比較手段における比較結果に基づき前記コンテンツについての表示態様を決定し、当該表示態様に従った表示データを含む前記表示範囲内の地図を出力する手段と、
を有する地図データ処理装置。
【発明の詳細な説明】
【技術分野】
【０００１】
本発明は、地図データの処理技術に関し、より詳しくは、地図上にコンテンツ又はコンテンツに対応するアイコンなどを適切に表示するための技術に関する。
【背景技術】
【０００２】
写真やブログ（Ｂｌｏｇ）について位置情報を登録すれば、地図から特定位置に関係する写真やブログを検索できるようにするサービスが次々に登場している。しかし、一度登録されるとそのまま地図上に表示され続けるが、立ち退きなどで、ブログの紹介場所が既に存在しないことがある。様々な都市開発が行われている現在では、頻繁にこのような事態が発生し得る。
【０００３】
例えば、図１に示すような画面では、四角いアイコンでＢｌｏｇが登録されている位置を表している。そして、道路１００１の上にアイコン１００２が配置されており、このアイコン１００２をクリックすると、該当するブログを表示するウインドウが表示されたり、タイトルなどのブログの一部がタグとして表示される。しかし、中華料理店についてのアイコン１００２は、道路１００１の上に配置されており、アイコン１００２の中華料理店は、道路１００１の拡張に伴い、立ち退きを余儀なくされ、現在は存在していない。しかし、ブログの登録者などが登録内容を変更しない限り、そのまま提示され続け、閲覧者は、アイコンで指し示された場所の正誤を判断することはできず、間違った情報を鵜呑みにする可能性がある。
【０００４】
また、現在では自動車に搭載されているカーナビゲーションシステムにおいて、特定の位置に対応して、撮影した写真を登録できるようになっているが、写真の種類としては、観光スナップ写真の他に、地図と実際とが異なっていることを記録するための標識代わりの写真（例えば地図では銀行となっているが、既にコンビニエンスストアになっていることを示すための写真）を登録する場合もある。しかし、図２に示すように、写真登録位置に、サムネイルやアイコンを地図上に示しただけでは、個別にアイコン１００３をクリックしてタグ１００４の表示を指示するなどしないと、スナップ写真なのか標識代わりの写真なのかを区別することができない。これでは、運転中見落としてしまうなどの問題がある。
【０００５】
また、特開２００３−９８９５８号公報には、閲覧者が電子地図データの正確性を判断可能とするための技術が開示されている。具体的には、情報提供装置によって、電子地図データベースの内容を、クライアントＰＣにインターネットＩＮＴを介して提示する情報提示システムを構築する。地図データベースには、建造物等の形状等を記憶する要素データ、その種別等を記憶する属性データが記憶されており、さらに、要素データおよび属性データの正確性を判断するための判断指標データが記憶されている。判断指標データは、例えば、データを取得からの時間経過に関する情報、データの取得方法に関する情報、データ提示時の有効桁数など提示精度に関する情報等を含めることができる。判断指標データを地図データと併せて提示することにより、閲覧者は、地図データの正確性を判断することが可能となる。しかしながら、地図上の特定の位置に関連付けられたコンテンツの属性と、地図に登録されている地図要素の属性とが一致しているか否かに基づき、表示態様を変更するようなものではない。
【特許文献１】特開２００３−９８９５８号公報
【発明の開示】
【発明が解決しようとする課題】
【０００６】
上で述べたように従来技術では、地図上の特定の位置についての情報が正しいのか間違っているのかを判断することができず、また地図上の表示がどのような内容のものなのかを容易に把握できない。
【０００７】
従って、本発明の目的は、地図上の特定の位置についての情報を、ユーザに理解しやすい形態で提示するための新規な技術を提供することである。
【０００８】
また、本発明の他の目的は、地図上の特定の位置についての情報が現況に一致しているのか否かを状況に応じてユーザに理解しやすい態様で提示するための技術を提供することである。
【０００９】
さらに、本発明の他の目的は、地図上の特定の位置についての情報を当該情報の属性に応じて表示態様を切り替えるための技術を提供することである。
【課題を解決するための手段】
【００１０】
本発明に係る地図データ処理方法は、地図の表示範囲を特定するステップと、コンテンツ毎に位置データを格納するコンテンツデータ格納部及び地図要素毎に位置データと属性データとを格納する地図要素データ格納部を用いて、地図の表示範囲内の位置に関連付けられ且つ位置が同一であるとみなされるコンテンツ及び地図要素を特定する特定ステップと、特定ステップにおいて特定された上記コンテンツの属性データと、地図要素データ格納部に格納されており且つ特定ステップにおいて特定された上記地図要素の属性データとを比較する比較ステップと、比較ステップの比較結果に基づきコンテンツについての表示態様を決定し、当該表示態様に従った表示データを含む表示範囲内の地図を出力するステップとを含む。
【００１１】
現況からすれば、コンテンツに誤りがあったり、地図に登録されている地図要素に誤りがあったりする場合には、それらの属性データが不一致となる。一方、コンテンツも地図要素も正しければ、それらの属性データが一致することになる。このように、属性データの一致不一致に応じて表示態様を変化させることによって、ユーザに理解しやすい形で地図データを提示することができるようになる。
【００１２】
なお、上で述べた特定ステップは、コンテンツデータ格納部において、特定された上記地図の表示範囲内の位置に関連付けられたコンテンツを特定するステップと、地図要素データ格納部から、特定された上記コンテンツの位置と同一とみなされる位置の地図要素を抽出するステップとを含むようにしてもよい。
【００１３】
また、上で述べた特定ステップは、地図要素データ格納部において、特定された上記地図の表示範囲内の位置に関連付けられた地図要素を特定するステップと、コンテンツデータ格納部から、特定された上記地図要素の位置と同一とみなされる位置のコンテンツを抽出するステップとを含むようにしてもよい。
【００１４】
さらに、コンテンツデータ格納部がコンテンツを格納するようにしてもよい。そして、コンテンツが属性データを含むような形式であってもよい。例えばＥｘｉｆ形式のイメージデータをコンテンツデータ格納部に格納するようにしても良い。
【００１５】
また、上で述べたコンテンツデータ格納部が、コンテンツ毎に上記属性データを格納するようにしてもよい。例えば、コンテンツがブログであったり単純なイメージデータの場合である。
【００１６】
さらに、上で述べた属性データが、コンテンツの内容種別に関するデータである場合もある。例えば、コンテンツで述べられている店舗又はコンテンツに写されている店舗の種別などである。
【００１７】
また、上で述べた比較結果が不一致である場合、上記コンテンツの表示態様が、当該不一致を強調するものである場合もある。例えば、コンテンツの誤りに注意を促すためである。
【００１８】
さらに、例えばカーナビゲーション・システムにおける目的地設定モードにおいて、上記比較結果が不一致である場合、コンテンツの表示態様を、当該コンテンツの非表示とする場合もある。また、上記比較結果が一致である場合、コンテンツの表示態様を、当該コンテンツ又は当該コンテンツに対応する表示データの表示とする場合もある。カーナビゲーション・システムでは、目的地設定モードであれば、属性データが不一致であるものよりも一致したものを提示することによって、目的地を設定しやすくする。
【００１９】
また、例えばカーナビゲーション・システムにおける走行モードにおいて、上記比較結果が不一致である場合、コンテンツの表示態様を、当該コンテンツ又は当該コンテンツに対応する表示データの表示とする場合もある。そして、上記比較結果が一致である場合、コンテンツの表示態様を、当該コンテンツの非表示とするようにしてもよい。カーナビゲーション・システムでは、走行モードであれば、属性データが不一致であるものを提示することによって、運転者に注意を促すことができるようになる。
【００２０】
さらに、表示データの選択指示を受信した場合、表示データに対応するコンテンツに関するデータ及び比較結果の不一致を説明するデータを出力するステップをさらに含むようにしてもよい。これによって詳細なデータを参照できるようになる。
【００２１】
なお、本方法をコンピュータに実行させるためのプログラムを作成することができ、このプログラムは、例えばフレキシブルディスク、ＣＤ−ＲＯＭ、光磁気ディスク、半導体メモリ、ハードディスク等の記憶媒体又は記憶装置に格納される。また、ネットワークなどを介してデジタル信号として配信される場合もある。尚、中間的な処理結果はメインメモリ等の記憶装置に一時保管される。
【００２２】
なお、上記方法は通常のコンピュータだけではなくカーナビゲーション・システムにおいて実行される場合もある。
【発明の効果】
【００２３】
本発明によれば、地図上の特定の位置についての情報を、ユーザに理解しやすい形態で提示することができるようになる。
【００２４】
また、本発明の他の側面によれば、地図上の特定の位置についての情報が現況に一致しているのか否かを状況に応じてユーザに理解しやすい態様で提示することができるようになる。
【００２５】
さらに、本発明の他の側面によれば、地図上の特定の位置についての情報を当該情報の属性に応じて表示態様を切り替えることができるようになる。
【発明を実施するための最良の形態】
【００２６】
［実施の形態１］
本発明の第１の実施の形態に係るシステムの概要を図３に示す。例えばインターネットであるネットワーク１には、本実施の形態における主要な処理を実施する地図検索システム５と、ブログ（Ｂｌｏｇ）のデータを格納するＢｌｏｇＤＢ７１を管理する１又は複数のＢｌｏｇサーバ７と、複数のユーザ端末（図３ではユーザ端末Ａ及びＢ）とが接続されている。ユーザ端末は、例えばパーソナルコンピュータや携帯電話機であって、ウェブ（Ｗｅｂ）ブラウザがインストールされており、Ｂｌｏｇサーバ７及び地図検索システム５にアクセスして、Ｂｌｏｇのデータや地図データを閲覧することができる。また、Ｂｌｏｇサーバ７と及び地図検索システム５にデータを登録することも可能である。
【００２７】
また、地図検索システム５は、地図に関連するＢｌｏｇに関するデータを格納するコンテンツＤＢ５２と、コンテンツＤＢ５２にデータを登録するための処理を実施するコンテンツ登録部５１と、地図に関するデータを格納する地図ＤＢ５４と、地図に表示すべき地図要素についてのデータを格納する地図要素ＤＢ５５と、ワークメモリ５６と、コンテンツＤＢ５２と地図ＤＢ５４と地図要素ＤＢ５５とワークメモリ５６とを用いて地図検索処理及び表示データ生成処理を実施する地図検索処理部５３とを有する。
【００２８】
コンテンツＤＢ５２に格納されるデータの一例を図４に示す。図４の例では、コンテンツ（ここではＢｌｏｇ）のＩＤと、コンテンツのＵＲＬ（Uniform Resource Locator）と、コンテンツ名称と、位置と、位置座標と、対象属性種別と、対象名称とが登録されるようになっている。このようなデータは、コンテンツ制作者などによって登録される。コンテンツのＵＲＬは、例えばＢｌｏｇのＵＲＬである。
【００２９】
また、地図ＤＢ５４に格納されているデータの一例を図５に示す。図５の例では、地図ＩＤと、表示範囲座標（ここではカバーする住所）と、表示範囲に入る地図要素の関連地図要素ＩＤとが登録されるようになっている。なお、地図ＤＢ５４には、地図ＩＤに対応する地図データ自体も登録されている。
【００３０】
さらに、地図要素ＤＢ５５に格納されているデータの一例を図６に示す。図６の例では、地図要素ＩＤと、領域座標（例えば矩形４点の緯度経度）と、属性種別と、要素名称とが登録されるようになっている。地図要素ＤＢ５５のデータについては、地図検索システム５の管理者によって適宜更新される。本実施の形態では、地図データは、比較的速やかに現況に合わせて更新されるものとする。
【００３１】
次に、図７乃至図１３を用いて地図検索システム５による処理を説明する。まず、図７及び図８を用いて、コンテンツ・データの登録処理について説明する。
【００３２】
例えば、ＢｌｏｇをコンテンツＤＢ５２に登録するユーザは、ユーザ端末（例えばユーザ端末Ｂ）を操作して、地図検索システム５のコンテンツ登録ページにアクセスさせる。地図検索システム５のコンテンツ登録部５１は、ユーザ端末Ｂからのアクセスを受信し（ステップＳ１）、コンテンツ・データ登録ページ・データをユーザ端末Ｂに送信する（ステップＳ３）。ユーザ端末Ｂは、地図検索システム５から、コンテンツ・データ登録ページ・データを受信し、表示装置に表示する。
【００３３】
例えば図８に示すような画面を表示装置に表示する。図８のコンテンツデータ登録画面では、コンテンツＵＲＬの入力欄と、コンテンツ名称の入力欄と、位置（住所）の入力欄と、内容属性を選択するためのコンボボックスと、登録ボタンとが設けられている。ユーザは、ユーザ端末Ｂを操作して、入力欄にデータを入力すると共に、コンボボックスにおいてデータを選択する。そして、登録ボタンをクリックすると、ユーザ端末Ｂは入力データ及び選択データを含むコンテンツ・データを、地図検索システム５へ送信する。
【００３４】
地図検索システム５のコンテンツ登録部５１は、ユーザ端末Ｂからコンテンツ・データを受信し、コンテンツＤＢ５２（図４）に登録する（ステップＳ５）。例えば、コンテンツＩＤをシリアルに発行して、コンテンツＤＢ５２に新たなレコードを１つ追加する。なお、この段階では位置座標（緯度経度）はまだ登録されない。
【００３５】
そして、地図検索システム５のコンテンツ登録部５１は、ユーザ端末Ｂへ位置指定ページ・データを送信する（ステップＳ７）。例えば、コンテンツ・データに含まれる位置データ（ここでは住所データ）に従って、地図ＤＢ５４から該当地図データを抽出し、具体的な位置座標を指定させるための位置指定ページ・データを生成して、ユーザ端末Ｂへ送信する。
【００３６】
ユーザ端末Ｂは、地図検索システム５から位置指定ページ・データを受信し、表示装置に表示する。ユーザは、ユーザ端末Ｂを操作して、コンテンツに係る店舗などの位置を指定し、その位置座標データを地図検索システム５に送信する。
【００３７】
地図検索システム５のコンテンツ登録部５１は、ユーザ端末Ｂから位置座標データを受信し、コンテンツＤＢ５２の位置座標の欄に登録する（ステップＳ９）。そして、登録完了ページ・データをユーザ端末Ｂに送信する（ステップＳ１１）。
【００３８】
ユーザ端末Ｂは、地図検索システム５から登録完了ページ・データを受信し、表示装置に表示する。
【００３９】
このような処理を繰り返すことによって、コンテンツＤＢ５２にデータが蓄積されてゆく。
【００４０】
次に図９乃至図１３を用いて、地図データの閲覧時の処理を説明する。例えば、ユーザは、ユーザ端末Ａを操作して、地図検索システム５の初期ページへアクセスさせる。地図検索システム５の地図検索処理部５３は、ユーザ端末Ａからのアクセスを受信し（ステップＳ２１）、初期ページ・データをユーザ端末Ａに送信する（ステップＳ２３）。例えば、デフォルト指定の地図のデータを地図ＤＢ５４から読み出し、初期ページ・データを生成して、送信する。ユーザ端末Ａは、地図検索システム５から初期ページ・データを受信し、表示装置に表示する。
【００４１】
なお、図９の処理フローでは具体的な処理については周知であるから省略しているが、ユーザは、ユーザ端末Ａを操作して閲覧を欲する表示範囲に地図をスクロールさせる処理を実施させる。そして、ユーザ端末Ａは、ユーザの指示を受け付け、表示を指示された表示範囲についての指示データを地図検索システム５に送信する。
【００４２】
地図検索システム５の地図検索処理部５３は、ユーザ端末Ａから表示範囲についての指示データを受信し（ステップＳ２５）、例えばメインメモリなどの記憶装置に格納する。また、この段階でワークメモリ５６を初期化する。
【００４３】
そして、地図検索処理部５３は、コンテンツＤＢ５２から未処理のコンテンツ・レコードを読み出し、ワークメモリ５６に格納する（ステップＳ２７）。図１０に示すように、コンテンツのＵＲＬ、コンテンツの名称、位置座標をコンテンツＤＢ５２から読み出し、ワークメモリ５６に格納する。但し、表示方法については、まだこの段階では設定されない。そして、そのコンテンツの位置が表示範囲内であるか判断する（ステップＳ２９）。これについてはコンテンツの位置座標から判断する。もしコンテンツの位置が表示範囲外であれば、ステップＳ３７に移行する。一方、コンテンツの位置が表示範囲内である場合には、当該コンテンツと位置が一致する又はコンテンツの位置を包含する地図要素が存在するか判断する（ステップＳ３１）。まず、地図ＤＢ５４で、表示範囲に該当する地図の関連地図要素を特定し、この関連地図要素のＩＤで地図要素ＤＢ５５を検索することによって、各地図要素の領域座標を特定する。そして、コンテンツの位置と一致する領域座標又はコンテンツの位置を包含する領域座標の地図要素が存在するか判断する。
【００４４】
コンテンツと位置が一致する又はコンテンツの位置を包含する地図要素が存在しない場合にはステップＳ３７に移行する。一方、コンテンツと位置が一致する又はコンテンツの位置を包含する地図要素が存在する場合、当該地図要素の属性及び名称とコンテンツの属性及び名称が一致するか判断する（ステップＳ３３）。コンテンツの対象属性種別と、地図要素の属性種別とを比較して一致するか判断し、コンテンツの対象名称と地図要素の要素名称とを比較して一致するか判断する。いずれか又は両方が不一致の場合にはステップＳ３７に移行する。一方、両方とも一致の場合には、当該コンテンツの表示方法を「同」に設定して、ワークメモリに格納する（ステップＳ３５）。
【００４５】
そして、地図検索処理部５３は、未処理のコンテンツが存在するか判断する（ステップＳ３７）。もし、未処理のコンテンツが存在する場合にはステップＳ２７に移行する。全てのコンテンツについて処理した場合には端子Ａを介して図１１の処理に移行する。
【００４６】
図１１の説明に移行して、地図検索処理部５３は、地図ＤＢ５４から表示範囲に該当する地図のデータを読み出すと共に、関連地図要素のデータを地図要素ＤＢ５５から読み出し、さらにワークメモリ５６から表示範囲内のレコードを読み出す。そして、コンテンツについては、表示方法が「同」であるものには通常のアイコン（ピンとも呼ぶ）を地図上に配置し、表示方法が「同」でないものには通常とは異なるアイコンを地図上に配置する。地図要素とコンテンツとが重複する場合には、コンテンツを優先する。このようにして、表示方法に応じたアイコンを含む地図データを生成し（ステップＳ３９）、生成された地図データをユーザ端末Ａに送信する（ステップＳ４１）。
【００４７】
ユーザ端末Ａは、地図検索システム５から地図データを受信し、表示装置に表示する。例えば図１２に示すような画面が表示される。図１２の例では、地図要素ＩＤが２の道路、地図要素ＩＤが５及び６の道路が配置されており、さらにコンテンツに係るアイコン１０１乃至１０４も配置されている。アイコン１０１は、「Ａさんのグルメリポート」のアイコンであり、地図要素の属性種別とコンテンツの対象属性種別とが一致しており、地図要素の要素名称とコンテンツの対象名称とも一致している。同様に、アイコン１０３は、「Ｃさんのグルメリポート」のアイコンであり、地図要素の属性種別とコンテンツの対象属性種別とが一致しており、地図要素の要素名称とコンテンツの対象名称とも一致している。一方、アイコン１０２は、「Ｂさんのグルメリポート」のアイコンであり、地図要素の属性種別とコンテンツの対象属性種別とは不一致となっており、地図要素の要素名称とコンテンツの対象名称とも一致していない。コンテンツの内容が古くて、店舗が道路になってしまっていることが分かる。さらに、アイコン１０４は、「Ｄさんのグルメリポート」のアイコンであり、地図要素の属性種別とコンテンツの対象属性種別とは一致となっているが、地図要素の要素名称とコンテンツの対象名称とも一致していない。コンテンツの内容が古くて、店が変わってしまっている。このように、表示方法が「同」ではないコンテンツについて、アイコンを変更することでユーザは認識しやすくなっている。
【００４８】
そして、ユーザは、ユーザ端末Ａに指示を入力する。例えば表示範囲の変更を指示したり、いずれかのアイコンをクリックする。ユーザ端末Ａは、指示データを受け付け、地図検索システム５に送信する。地図検索システム５の地図検索処理部５３は、ユーザ端末Ａから指示データを受信し（ステップＳ５１）、アイコン選択指示がなされたか判断する（ステップＳ５３）。アイコン選択指示がなされた場合には、アイコン選択指示に含まれるコンテンツのＩＤから、地図検索処理部５３は、アイコンに対応するコンテンツを特定し（ステップＳ５５）、タグ生成処理を実施する（ステップＳ５７）。タグ生成処理については、図１３を用いて説明する。
【００４９】
地図検索処理部５３は、コンテンツＩＤでワークメモリ５６を検索し、該当するレコードにおいて表示方法が「同」であるか判断する（図１３：ステップＳ７１）。表示方法が「同」であれば、ワークメモリ５６から、コンテンツ名称及びコンテンツＵＲＬを含むコンテンツ・データを読み出し、タグデータを生成し（ステップＳ７３）、当該タグデータをユーザ端末Ａに送信する（ステップＳ７７）。
【００５０】
一方、表示方法が「同」でない場合、ワークメモリから、コンテンツ名称及びコンテンツＵＲＬを含むコンテンツ・データを読み出し、注意情報「［注意情報］内容が、現状地図の同一場所と一致していない可能性があります！！」をさらに含むタグデータを生成し（ステップＳ７５）、当該タグデータをユーザ端末Ａに送信する（ステップＳ７７）。
【００５１】
図１２に示すように、例えばアイコン１０２をクリックすると、タグ１０５が表示される。タグ１０５では、「青虎点心」にコンテンツＵＲＬのリンクが設定されており、［注意情報］が登録されている。なお、タグ１０５を生成する際には、コンテンツＵＲＬを用いてＢｌｏｇサーバ７にアクセスして、他のデータを読み込んで、タグデータに含ませるようにしても良い。例えば、Ｂｌｏｇの登録日付や内容の一部を含むようにしても良い。
【００５２】
図１１の説明に戻って、ステップＳ５７を終了すると、ステップＳ５３に戻る。
【００５３】
一方、アイコン選択指示でない場合には、地図検索処理部５３は、表示範囲変更指示であるか判断する（ステップＳ５９）。表示範囲変更指示であれば、端子Ｂを介して図９のステップＳ２５に移行する。一方、表示範囲変更指示でなければ、処理終了が指示されたか判断する（ステップＳ６１）。処理終了でない場合にはステップＳ５３に戻る。一方、処理終了であれば、本処理を終了する。
【００５４】
このような処理を実施すれば、古いコンテンツが登録したままである場合には、属性データが地図要素についての属性データと不一致となり、ユーザに対して注意を促すことができるようになる。
【００５５】
なお、表示方法について「同」を設定するような例を示したが、「異」を登録するようにしても良い。さらに、コンテンツのデータをワークメモリ５６に登録して、コンテンツのデータをベースに処理を行う例を示したが、表示範囲内の地図要素をベースに処理を実施するようにしても良い。
【００５６】
［実施の形態２］
図１４に本発明の第２の実施の形態に係るカーナビゲーション・システムの機能ブロック図を示す。自動車に設置されるカーナビゲーション・システムは、ボタン等の操作部、ＣＤやＤＶＤのドライブや各種メモリカードの読み取り部などを含む入力部２１と、例えばタッチパネル式の表示装置である表示部２４と、ユーザによって登録される写真（すなわち、イメージデータ）を格納する写真ＤＢ２３と、地図のデータを格納する地図ＤＢ２６と、地図において表示される地図要素についてのデータを格納する地図要素ＤＢ２７と、入力部２１及び表示部２４と連携して、地図ＤＢ２６及び地図要素ＤＢ２７に格納されたデータを用いて写真のデータを写真ＤＢ２３に登録する写真登録部２２と、ワークメモリ２９と、入力部２１及び表示部２４と連携し、写真ＤＢ２３と地図ＤＢ２６と地図要素ＤＢ２７とワークメモリ２９とを用いて以下で述べる処理を実施するナビゲーション処理部２５とを有する。
【００５７】
ナビゲーション処理部２５は、自動車が走行中に処理を行う第１写真処理部２５１と、目的地設定時に処理を行う第２写真処理部２５２とを有し、図示しないＧＰＳシステムから自車位置のデータを取得できるようになっている。
【００５８】
図１５に、写真ＤＢ２３に格納されるデータの一例を示す。図１５の例では、写真のＩＤと、写真ＤＢ２３内の保存場所（ディレクトリ）と、位置座標とが登録されるようになっている。例えば、ユーザは、ディジタルカメラなどによって撮影し且つＤＶＤなどに格納された写真を、入力部２１のＤＶＤドライブを介して写真登録部２２に入力し、写真登録部２２によって表示部２４に表示された地図において登録すべき位置座標を指定する。写真登録部２２は、ユーザから入力された写真データ及び位置座標を受け付け、例えばシリアルに写真ＩＤを発行し、保存場所のディレクトリを特定して、それらのデータを写真ＤＢ２３に登録する。当然ながら写真ＤＢ２３には、写真データそのものも、指定された保存場所ディレクトリに格納される。なお、本実施の形態では、写真データのフォーマットにはＥｘｉｆ形式を採用し、図１６に示すように、写真データそのものに属性及び名称が含まれるものとする。すなわち、ナビゲーション処理部２５では、図１５のデータの他に、写真データを読み込むことによって属性及び名称を取得することができる。
【００５９】
カーナビゲーション・システムが通信機能を有していれば、例えばカメラ付き携帯電話機で撮影した写真をそのままカーナビゲーション・システムに送信して、写真データを受信した写真登録部２２によって写真ＤＢ２３に格納するようにしてもよい。この際、携帯電話機がＧＰＳ（Global Positioning System）機能を有している場合には、位置座標についても写真データそのものに登録するようなことも可能である。
【００６０】
また、地図ＤＢ２６に格納されているデータの一例を図１７に示す。図１７の例では、地図ＩＤと、表示範囲座標（ここではカバーする住所）と、表示範囲に入る地図要素の関連地図要素ＩＤとが登録されるようになっている。なお、地図ＤＢ２６には、地図ＩＤに対応する地図データも登録されている。
【００６１】
さらに、地図要素ＤＢ２７に格納されているデータの一例を図１８に示す。図１８の例では、地図要素ＩＤと、領域座標（例えば矩形４点の緯度経度）と、属性種別と、要素名称とが登録されるようになっている。地図要素ＤＢ２７のデータについては、カーナビゲーション・システムが通信機能を有している場合には、カーナビゲーション・システムの製造者などのサービスによって更新される場合もあれば、例えば更新用ＤＶＤなどによって更新される場合もある。しかし、本実施の形態では、地図データは、比較的更新までに時間がかかるものとする。
【００６２】
次に、図１９乃至図２５を用いてカーナビゲーション・システムの処理を説明する。例えば、自動車のエンジンの起動に応じて、カーナビゲーション・システムの起動処理を実施する（ステップＳ８１）。具体的には、所定の初期化処理を実施する。そして、ナビゲーション処理部２５は、入力部２１又は表示部２４を介して、目的地設定が指示されたか判断する（ステップＳ８５）。目的地設定が指示された場合には、第２写真処理部２５２は、目的地設定処理を実施する（ステップＳ８７）。なお、この処理については、後に詳細に説明する。また、この処理が終了すれば、端子Ｋを介してステップＳ８９に移行する。
【００６３】
一方、目的地設定が指示されたわけではない場合には、第１写真処理部２５１は以下の走行中処理を実施する。具体的には、第１写真処理部２５１は、ＧＰＳシステムから現在位置データを取得し、例えばメインメモリなどの記憶装置に格納する（ステップＳ８９）。そして、第１写真処理部２５１は、地図ＤＢ２６を参照して現在位置データから表示範囲を特定し（ステップＳ９１）、地図ＤＢ２６から表示範囲の地図データを読み出すと共に自車アイコンを現在位置に配置した表示範囲の地図データを生成し、表示部２４に表示する（ステップＳ９３）。
【００６４】
そして、第１写真処理部２５１は、写真ＤＢ２３から表示範囲内の位置座標が登録されている写真を抽出し、当該写真のデータをワークメモリ２９に格納する（ステップＳ９５）。例えば図２０に示すようなデータが格納される。図２０の例では、写真ＩＤと、保存場所（ディレクトリ）と、位置座標とが、写真ＩＤ１乃至４について格納される。なお、地図要素ＩＤについてはこの段階では格納されない。
【００６５】
次に、第１写真処理部２５１は、ワークメモリ２９において、未処理の写真を特定する（ステップＳ９７）。そして、特定された写真の位置座標を特定する（ステップＳ９９）。処理は端子Ｃを介して図２１の処理に移行する。
【００６６】
図２１の処理の説明に移行して、第１写真処理部２５１は、地図要素ＤＢ２７を写真の位置座標で検索して、写真の位置座標と一致する又は写真の位置座標を包含する領域座標の地図要素が存在するか判断する（ステップＳ１０１）。写真の位置座標と一致する又は写真の位置座標を包含する領域座標の地図要素が存在しない場合にはステップＳ１０７に移行する。一方、写真の位置座標と一致する又は写真の位置座標を包含する領域座標の地図要素が存在する場合には、当該地図要素ＩＤをワークメモリ２９に登録すると共に、写真ＤＢ２３から当該写真のデータを読み出して、当該写真のデータに含まれる属性及び名称と、地図要素ＤＢ２７に登録されている地図要素の属性種別及び要素名称とが一致するか判断する（ステップＳ１０３）。写真のデータに含まれる属性と、地図要素の属性種別が一致するか判断し、さらに写真のデータに含まれる名称と、地図要素の要素名称とが一致するか判断する。両者が一致する場合には、スナップ写真であり、移動中の自動車では不要な情報として、ステップＳ１０７に移行する。
【００６７】
一方、属性又は名称のいずれか又は両方が異なる場合には、標識代わりの写真（以下、標識写真と呼ぶ）として、第１写真処理部２５１は、現在表示中の地図上に当該写真のサムネール表示を実施する（ステップＳ１０５）。このように、属性又は名称のいずれか又は両方が異なる場合には、地図ＤＢ２６及び地図要素ＤＢ２７の更新が行われていないため、その地図の誤りを示すための標識写真を注意喚起を目的として、移動中においてユーザに提示する。
【００６８】
例えば図２２に示すような画面が表示装置に表示される。ワークメモリ２９に登録されている写真は写真ＩＤ１乃至４であり、イタリアーナ、フランシス、スパイシーレストラン、及び竹寿司が該当するが、この図２２の例では属性又は名称が地図要素と一致しないフランシスと竹寿司のサムネール写真が表示される。イタリアーナ及びスパイシーレストランの写真は表示されない。
【００６９】
そして、第１写真処理部２５１は、未処理の写真が存在するか判断する（ステップＳ１０７）。未処理の写真が存在する場合には端子Ｄを介して図１９のステップＳ９７に戻る。一方、ワークメモリ２９内における全ての写真について処理した場合には、ユーザが表示部２４を介して写真選択を行ったか判断する（ステップＳ１０９）。写真選択が行われていない場合には、ステップＳ１１３に移行する。一方、写真選択が行われた場合には、ナビゲーション処理部２５は、表示部２４を介して写真選択の入力を受け付け、当該写真選択に応じてコメント（写真データに含まれる名称やコメントなど）をタグ表示する（ステップＳ１１１）。
【００７０】
また、ナビゲーション処理部２５は、ユーザによって目的地設定が指示されたか判断し（ステップＳ１１３）、目的地設定が指示された場合には端子Ｅを介して図１９のステップＳ８７に移行する。一方、目的地設定が指示されていない場合には処理終了であるか、すなわちカーナビゲーション・システムの処理の終了が指示されたか判断する（ステップＳ１１５）。処理終了でない場合には端子Ｆを介して図１９のステップＳ８５に移行する。一方、処理終了であれば、処理を終了する。
【００７１】
次に、図１９のステップＳ８７で実施される目的地設定処理について図２３乃至図２５を用いて説明する。
【００７２】
すなわち、目的地設定が指示された場合、第２写真処理部２５２は以下の処理を実施する。具体的には、第２写真処理部２５２は、ＧＰＳシステムから現在位置データを取得し、例えばメインメモリなどの記憶装置に格納する（ステップＳ１２１）。そして、第２写真処理部２５２は、地図ＤＢ２６を参照して現在位置データから表示範囲を特定し（ステップＳ１２３）、地図ＤＢ２６から表示範囲の地図データを読み出すと共に自車アイコンを現在位置に配置した表示範囲の地図データを生成し、表示部２４に表示する（ステップＳ１２５）。
【００７３】
そして、第２写真処理部２５２は、写真ＤＢ２３から表示範囲内の位置座標が登録されている写真を抽出し、当該写真のデータをワークメモリ２９に格納する（ステップＳ１２７）。例えば図２０に示すようなデータが格納される。なお、地図要素ＩＤについてはこの段階では格納されない。
【００７４】
次に、第２写真処理部２５２は、ワークメモリ２９において、未処理の写真を特定する（ステップＳ１２９）。そして、特定された写真の位置座標を特定する（ステップＳ１３１）。さらに、第２写真処理部２５２は、地図要素ＤＢ２７を写真の位置座標で検索して、写真の位置座標と一致する又は写真の位置座標を包含する領域座標の地図要素が存在するか判断する（ステップＳ１３３）。写真の位置座標と一致する又は写真の位置座標を包含する領域座標の地図要素が存在しない場合にはステップＳ１３９に移行する。一方、写真の位置座標と一致する又は写真の位置座標を包含する領域座標の地図要素が存在する場合には、当該地図要素ＩＤをワークメモリ２９に登録すると共に、写真ＤＢ２３から当該写真のデータを読み出して、当該写真のデータに含まれる属性及び名称と、地図要素ＤＢ２７に登録されている地図要素の属性種別及び要素名称とが一致するか判断する（ステップＳ１３５）。写真のデータに含まれる属性と、地図要素の属性種別が一致するか判断し、さらに写真のデータに含まれる名称と、地図要素の要素名称とが一致するか判断する。属性又は名称のいずれか又は両方が不一致である場合には、標識写真であり、目的地設定処理では不要な情報として、ステップＳ１３９に移行する。
【００７５】
一方、属性又は名称の両方が一致する場合には、スナップ写真として、第２写真処理部２５２は、現在表示中の地図上に当該写真のサムネール表示を実施する（ステップＳ１３７）。このように、属性及び名称の両方が一致する場合には、過去に遊びに行った場所や記念の場所など目的地設定に役立つ写真であるため、目的地設定においてユーザにその存在を示すようにする。
【００７６】
例えば図２４に示すような画面が表示装置に表示される。ワークメモリ２９に登録されている写真は写真ＩＤ１乃至４であり、イタリアーナ、フランシス、スパイシーレストラン、及び竹寿司が該当するが、この図２４の例では属性及び名称が地図要素と一致するイタリアーナとスパイシーレストランのサムネール写真が表示される。フランシス及び竹寿司の写真は表示されない。
【００７７】
そして、第２写真処理部２５２は、未処理の写真が存在するか判断する（ステップＳ１３９）。未処理の写真が存在する場合にはステップＳ１２９に戻る。一方、ワークメモリ２９内における全ての写真について処理した場合には、処理は端子Ｈを介して図２５の処理に移行する。
【００７８】
図２５の処理の説明に移行して、ナビゲーション処理部２５は、ユーザが表示部２４を介して写真選択を行ったか判断する（ステップＳ１４１）。写真選択が行われていない場合には、ステップＳ１４５に移行する。一方、写真選択が行われた場合には、ナビゲーション処理部２５は、表示部２４を介して写真選択の入力を受け付け、当該写真選択に応じてコメント（写真データに含まれる名称やコメントなど）をタグ表示する（ステップＳ１４３）。
【００７９】
そして、ナビゲーション処理部２５は、ユーザによって表示部２４を介して表示範囲の変更が指示されたか判断する（ステップＳ１４５）。表示範囲の変更が指示されている場合には、第２写真処理部２５２は、その表示範囲の地図データを地図ＤＢ２６から読み出し、さらに関連地図要素のデータを地図要素ＤＢ２７から読み出して、表示範囲の地図を構成し、表示部２４に表示範囲の地図を表示させる（ステップＳ１４７）。そして処理は端子Ｊを介して図２３のステップＳ１２７に移行する。
【００８０】
一方、表示範囲の変更でない場合には、ナビゲーション処理部２５は、目的地設定が終了したか判断し（ステップＳ１４９）、目的地設定が終了していない場合にはステップＳ１４１に戻る。一方、目的地設定が終了した場合には、元の処理に戻る。
【００８１】
このような処理を実施することによって、目的地設定の目安になるような写真を参照しつつ、目的地の設定を行うことができる。
【００８２】
なお、本実施の形態のような処理を行う場合、地図要素ＤＢ２７内のデータが最新のデータに更新されると、それまで属性又は名称が不一致であったコンテンツについても一致するようになる。そうすれば、図２１のステップＳ１０５で表示されていた写真についても、表示されなくなり、図２３のステップＳ１３７で表示されるようになる。すなわち、写真ＤＢ２３に登録された写真について特にメンテナンスをすることなく、表示態様を変更することも可能となる。
【００８３】
なお、サムネール表示を行う例を示したが、サムネール表示ではなくアイコン表示を行うようにしても良い。
【００８４】
また、写真ＤＢ２３を設けて写真を登録する例を示したが、単にメモなどを登録しておき、上で述べた処理においてメモに相当するアイコンを表示するようにしても良い。標識写真の代わりに標識メモを登録しておき、標識写真を表示するタイミングで標識アイコンを表示したり、スナップ写真の代わりに感想などのコメントを登録しておき、スナップ写真を表示するタイミングでコメント・アイコンを表示するようにしても良い。
【００８５】
さらに、Ｅｘｉｆ形式の写真データを前提として説明したが、第１の実施の形態のごとくコンテンツＤＢのテーブルを設けるようにしても良い。
【００８６】
以上本発明の実施の形態を説明したが、これらに本発明は限定されるわけではない。上で述べた機能ブロック図は必ずしも実際のプログラム構成やコンポーネント構成を表すものではない。
【００８７】
また、処理フローについても処理結果が変わらない限りにおいて、フラグの方向を逆にしたり、データを余分に保持したり、処理順番を入れ替えたりすることも可能である。
【００８８】
なお、地図検索システムやカーナビゲーション・システムは、コンピュータ装置であって、図２６に示すように当該コンピュータ装置においては、メモリ２５０１（記憶部）とＣＰＵ２５０３（処理部）とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ）及びＷｅｂブラウザを含むアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。このようなコンピュータは、上で述べたＣＰＵ２５０３、メモリ２５０１などのハードウエアとＯＳ及び必要なアプリケーション・プログラムとが有機的に協働することにより、上で述べたような各種機能を実現する。
【００８９】
カーナビゲーション・システムについてはＨＤＤ２５０５を有しない場合もあるが、代わりとなる記憶装置が用いられる。また、フラッシュメモリ型の記録媒体の読み取り装置を有する場合もある。また、カーナビゲーション・システムは通信制御部２５１７を有しない場合もある。
【００９０】
（付記１）
地図の表示範囲を特定するステップと、
コンテンツ毎に位置データを格納するコンテンツデータ格納部及び地図要素毎に位置データと属性データとを格納する地図要素データ格納部を用いて、前記地図の表示範囲内の位置に関連付けられ且つ位置が同一であるとみなされるコンテンツ及び地図要素を特定する特定ステップと、
前記特定ステップにおいて特定された前記コンテンツの属性データと、前記地図要素データ格納部に格納されており且つ前記特定ステップにおいて特定された前記地図要素の属性データとを比較する比較ステップと、
前記比較ステップの比較結果に基づき前記コンテンツについての表示態様を決定し、当該表示態様に従った表示データを含む前記表示範囲内の地図を出力するステップと、
を含み、コンピュータにより実行される地図データ処理方法。
【００９１】
（付記２）
前記特定ステップが、
前記コンテンツデータ格納部において、特定された前記地図の表示範囲内の位置に関連付けられたコンテンツを特定するステップと、
前記地図要素データ格納部から、特定された前記コンテンツの位置と同一とみなされる位置の地図要素を抽出するステップと、
を含む付記１記載の地図データ処理方法。
【００９２】
（付記３）
前記特定ステップが、
前記地図要素データ格納部において、特定された前記地図の表示範囲内の位置に関連付けられた地図要素を特定するステップと、
前記コンテンツデータ格納部から、特定された前記地図要素の位置と同一とみなされる位置のコンテンツを抽出するステップと、
を含む付記１記載の地図データ処理方法。
【００９３】
（付記４）
前記コンテンツデータ格納部がコンテンツを格納しており、
前記コンテンツが前記属性データを含む
付記１記載の地図データ処理方法。
【００９４】
（付記５）
前記コンテンツデータ格納部が、コンテンツ毎に前記属性データを格納する
付記１記載の地図データ処理方法。
【００９５】
（付記６）
前記属性データが、前記コンテンツの内容種別に関するデータである
付記１記載の地図データ処理方法。
【００９６】
（付記７）
前記比較結果が不一致である場合、前記コンテンツの前記表示態様が、当該不一致を強調するものである
付記１記載の地図データ処理方法。
【００９７】
（付記８）
カーナビゲーション・システムにおける目的地設定モードにおいて、
前記比較結果が不一致である場合、前記コンテンツの前記表示態様が、当該コンテンツの非表示であり、
前記比較結果が一致である場合、前記コンテンツの前記表示態様が、当該コンテンツ又は当該コンテンツに対応する表示データの表示である、
付記１記載の地図データ処理方法。
【００９８】
（付記９）
カーナビゲーション・システムにおける走行モードにおいて、
前記比較結果が不一致である場合、前記コンテンツの前記表示態様が、当該コンテンツ又は当該コンテンツに対応する表示データの表示であり、
前記比較結果が一致である場合、前記コンテンツの表示態様が、当該コンテンツの非表示である
付記１記載の地図データ処理方法。
【００９９】
（付記１０）
前記表示データの選択指示を受信した場合、前記表示データに対応する前記コンテンツに関するデータ及び前記比較結果の不一致を説明するデータを出力するステップ
をさらに含む付記７記載の地図データ処理方法。
【０１００】
（付記１１）
付記１乃至１０記載の地図データ処理方法をコンピュータに実行させるためのプログラム。
【０１０１】
（付記１２）
地図の表示範囲を特定する手段と、
コンテンツ毎に位置データを格納するコンテンツデータ格納部及び地図要素毎に位置データと属性データとを格納する地図要素データ格納部を用いて、前記地図の表示範囲内の位置に関連付けられ且つ位置が同一であるとみなされるコンテンツ及び地図要素を特定する特定手段と、
前記特定手段により特定された前記コンテンツの属性データと、前記地図要素データ格納部に格納されており且つ前記特定手段において特定された前記地図要素の属性データとを比較する比較手段と、
前記比較手段における比較結果に基づき前記コンテンツについての表示態様を決定し、当該表示態様に従った表示データを含む前記表示範囲内の地図を出力する手段と、
を有する地図データ処理装置。
【０１０２】
（付記１３）
前記比較結果が不一致である場合、前記コンテンツの前記表示態様が、当該不一致を強調するものである
付記１２記載の地図データ処理装置。
【０１０３】
（付記１４）
地図の表示範囲を特定する手段と、
コンテンツ毎に位置データを格納するコンテンツデータ格納部及び地図要素毎に位置データと属性データとを格納する地図要素データ格納部を用いて、前記地図の表示範囲内の位置に関連付けられ且つ位置が同一であるとみなされるコンテンツ及び地図要素を特定する特定手段と、
前記特定手段により特定された前記コンテンツの属性データと、前記地図要素データ格納部に格納されており且つ前記特定手段において特定された前記地図要素の属性データとを比較する比較手段と、
前記比較手段における比較結果に基づき前記コンテンツについての表示態様を決定し、当該表示態様に従った表示データを含む前記表示範囲内の地図を出力する出力手段と、
を有するカーナビゲーション・システム。
【０１０４】
（付記１５）
目的地設定モードにおいて、
前記比較結果が不一致である場合、前記コンテンツの前記表示態様が、当該コンテンツの非表示であり、
前記比較結果が一致である場合、前記コンテンツの前記表示態様が、当該コンテンツ又は当該コンテンツに対応する表示データの表示である、
付記１４記載のカーナビゲーション・システム。
【０１０５】
（付記１６）
走行モードにおいて、
前記比較結果が不一致である場合、前記コンテンツの前記表示態様が、当該コンテンツ又は当該コンテンツに対応する表示データの表示であり、
前記比較結果が一致である場合、前記コンテンツの表示態様が、当該コンテンツの非表示である
付記１４記載のカーナビゲーション・システム。
【図面の簡単な説明】
【０１０６】
【図１】従来技術の問題を説明するための図である。
【図２】従来技術の問題を説明するための図である。
【図３】本発明の第１の実施の形態のシステム概要図である。
【図４】コンテンツＤＢに格納されるデータの一例を示す図である。
【図５】地図ＤＢに格納されるデータの一例を示す図である。
【図６】地図要素ＤＢに格納されるデータの一例を示す図である。
【図７】コンテンツ登録処理の処理フローを示す図である。
【図８】コンテンツ登録画面の一例を示す図である。
【図９】本発明の第１の実施の形態におけるメインの処理フローの第１の部分を示す図である。
【図１０】本発明の第１の実施の形態におけるワークメモリに格納されるデータの一例を示す図である。
【図１１】本発明の第１の実施の形態におけるメインの処理フローの第２の部分を示す図である。
【図１２】本発明の第１の実施の形態における画面例を示す図である。
【図１３】タグ生成処理の処理フローを示す図である。
【図１４】本発明の第２の実施の形態における機能ブロック図である。
【図１５】写真ＤＢに格納されるデータの一例を示す図である。
【図１６】写真データに含まれるデータの一例を示す図である。
【図１７】地図ＤＢに格納されるデータの一例を示す図である。
【図１８】地図要素ＤＢに格納されるデータの一例を示す図である。
【図１９】本発明の第２の実施の形態におけるメインの処理フローの第１の部分を示す図である。
【図２０】本発明の第２の実施の形態におけるワークメモリに格納されるデータの一例を示す図である。
【図２１】本発明の第２の実施の形態におけるメインの処理フローの第２の部分を示す図である。
【図２２】移動時の画面例を示す図である。
【図２３】目的地設定処理の処理フローの第１の部分を示す図である。
【図２４】目的地設定時の画面例を示す図である。
【図２５】目的地設定処理の処理フローの第２の部分を示す図である。
【図２６】コンピュータの機能ブロック図である。
【符号の説明】
【０１０７】
５  地図検索システム
５１  コンテンツ登録部
５２  コンテンツＤＢ
５３  地図検索処理部
５４  地図ＤＢ
５５  地図要素ＤＢ
５６  ワークメモリ
７  Ｂｌｏｇサーバ
７１  ＢｌｏｇＤＢ
２１  入力部
２２  写真登録部
２３  写真ＤＢ
２４  表示部
２５  ナビゲーション処理部
２６  地図ＤＢ
２７  地図要素ＤＢ
２９  ワークメモリ
２５１  第１写真処理部
２５２  第２写真処理部
【図１】
2008176160.tif 000003
【図２】
2008176160.tif 000004
【図３】
2008176160.tif 000005
【図４】
2008176160.tif 000006
【図５】
2008176160.tif 000007
【図６】
2008176160.tif 000008
【図７】
2008176160.tif 000009
【図８】
2008176160.tif 000010
【図９】
2008176160.tif 000011
【図１０】
2008176160.tif 000012
【図１１】
2008176160.tif 000013
【図１２】
2008176160.tif 000014
【図１３】
2008176160.tif 000015
【図１４】
2008176160.tif 000016
【図１５】
2008176160.tif 000017
【図１６】
2008176160.tif 000018
【図１７】
2008176160.tif 000019
【図１８】
2008176160.tif 000020
【図１９】
2008176160.tif 000021
【図２０】
2008176160.tif 000022
【図２１】
2008176160.tif 000023
【図２２】
2008176160.tif 000024
【図２３】
2008176160.tif 000025
【図２４】
2008176160.tif 000026
【図２５】
2008176160.tif 000027
【図２６】
2008176160.tif 000028